【手続補正書】
【提出日】令和1年11月6日(2019.11.6)
【手続補正１】
【補正対象書類名】特許請求の範囲
【補正対象項目名】全文
【補正方法】変更
【補正の内容】
【特許請求の範囲】
【請求項１】
被検眼の眼底の３次元断層画像を解析することにより、前記眼底の形状に係る形状情報を取得する解析手段と、
前記形状情報を用いて、前記３次元断層画像との位置関係が対応付いている前記眼底の血管画像に含まれる血管を評価する評価手段と、
前記評価手段による血管の評価結果を示す情報を表示部に表示する制御を行う表示制御手段と
を有することを特徴とする画像処理装置。
【請求項２】
前記表示制御手段は、前記評価手段による血管の評価結果を用いて前記血管画像に含まれる血管の表示態様を変更し、前記評価結果を示す情報として当該変更に係る血管画像を前記表示部に表示する制御を行うことを特徴とする請求項１に記載の画像処理装置。
【請求項３】
前記表示制御手段は、前記評価手段による血管の評価結果を用いて前記血管画像に含まれる血管の表示態様を変更し、前記評価結果を示す情報として当該変更に係る血管画像を重畳させた前記３次元断層画像を前記表示部に表示する制御を行うことを特徴とする請求項１に記載の画像処理装置。
【請求項４】
前記表示制御手段は、前記表示態様の変更として、表示濃度の変更または表示色の変更を行うことを特徴とする請求項２または３に記載の画像処理装置。
【請求項５】
前記表示制御手段は、前記形状情報が前記３次元断層画像の各層における境界面の曲率である場合に、前記評価手段による血管の評価結果として得られた当該血管に係る前記曲率の大きさによって当該血管の表示態様を変更することを特徴とする請求項２乃至４のいずれか１項に記載の画像処理装置。
【請求項６】
前記表示制御手段は、指定された表示条件に従って前記評価結果を示す情報を作成して前記表示部に表示する制御を行い、前記表示条件を変更する指示が入力された場合には、当該変更に係る表示条件に従った前記評価結果を示す情報を前記表示部に表示する制御を行うことを特徴とする請求項１乃至５のいずれか１項に記載の画像処理装置。
【請求項７】
被検眼の眼底の３次元断層画像を解析することにより、前記眼底の形状に係る形状情報を取得する解析手段と、
前記形状情報を用いて、前記３次元断層画像との位置関係が対応付いている前記眼底の血管画像に含まれる血管を評価する評価手段と
を有することを特徴とする画像処理装置。
【請求項８】
前記解析手段は、前記血管画像に含まれる血管の走行座標に対応する前記眼底の形状に係る形状情報を取得することを特徴とする請求項１乃至７のいずれか１項に記載の画像処理装置。
【請求項９】
前記３次元断層画像と前記血管画像との位置合わせを行うことにより、前記３次元断層画像と前記血管画像との位置関係を対応付ける手段を更に有し、
前記評価手段は、前記３次元断層画像と前記血管画像との位置合わせを行った後に、前記血管を評価することを特徴とする請求項１乃至８のいずれか１項に記載の画像処理装置。
【請求項１０】
前記形状情報は、前記３次元断層画像の各層における境界面の曲率、その曲率半径、前記境界面の傾き、その傾きの変化率、前記境界面の局所的な凹凸、前記各層の層厚、および、その層厚の変化率のうちのいずれかの形状パラメータに係る情報、または、これらの形状パラメータの組合せに係る情報であることを特徴とする請求項１乃至９のいずれか１項に記載の画像処理装置。
【請求項１１】
前記評価手段は、前記形状情報が前記境界面の曲率である場合、前記曲率の大きさによって前記血管画像に含まれる血管を評価することを特徴とする請求項１０に記載の画像処理装置。
【請求項１２】
前記評価手段は、前記形状情報を用いて、前記血管画像に含まれる血管が存在する位置、当該血管の径および当該血管の走行方向を考慮して、前記血管画像に含まれる血管を評価することを特徴とする請求項１乃至１１のいずれか１項に記載の画像処理装置。
【請求項１３】
前記眼底に係る第１の撮像信号を用いて前記３次元断層画像を生成する第１の生成手段と、
前記眼底に係る第２の撮像信号を用いて前記血管画像を生成する第２の生成手段と、
を更に有することを特徴とする請求項１乃至１２のいずれか１項に記載の画像処理装置。
【請求項１４】
前記第１の生成手段は、異なる日時に前記眼底を撮影することにより得られた複数の第１の撮像信号を取得し、前記複数の第１の撮像信号を用いて複数の前記３次元断層画像を生成し、
前記第２の生成手段は、前記異なる日時に前記眼底を撮影することにより得られた複数の第２の撮像信号を取得し、前記複数の第２の撮像信号を用いて複数の前記血管画像を生成し、
前記解析手段は、前記複数の３次元断層画像におけるそれぞれの３次元断層画像を解析することにより、それぞれの３次元断層画像ごとに前記形状情報を取得し、
前記評価手段は、前記解析手段で取得されたそれぞれの前記形状情報を用いて、前記複数の血管画像におけるそれぞれの血管画像に含まれる血管を評価することを特徴とする請求項１３に記載の画像処理装置。
【請求項１５】
前記第２の生成手段は、モーションコントラストデータを用いて前記血管画像を生成することを特徴とする請求項１３または１４に記載の画像処理装置。
【請求項１６】
測定光を照射した前記眼底からの戻り光と前記測定光に対応する参照光との合波光を検出する検出手段を有する撮像装置に通信可能に接続され、
前記第１の生成手段は、前記検出された合波光を用いて前記３次元断層画像を生成することを特徴とする請求項１３乃至１５のいずれか１項に記載の画像処理装置。
【請求項１７】
被検眼の眼底の３次元断層画像を解析することにより、前記眼底の形状に係る形状情報を取得する解析ステップと、
前記形状情報を用いて、前記３次元断層画像との位置関係が対応付いている前記眼底の血管画像に含まれる血管を評価する評価ステップと、
前記評価ステップによる血管の評価結果を示す情報を表示部に表示する制御を行う表示制御ステップと
を有することを特徴とする画像処理方法。
【請求項１８】
被検眼の眼底の３次元断層画像を解析することにより、前記眼底の形状に係る形状情報を取得する解析ステップと、
前記形状情報を用いて、前記３次元断層画像との位置関係が対応付いている前記眼底の血管画像に含まれる血管を評価する評価ステップと
を有することを特徴とする画像処理方法。
【請求項１９】
請求項１７または１８に記載の画像処理方法の各ステップをコンピュータに実行させるためのプログラム。
【手続補正２】
【補正対象書類名】明細書
【補正対象項目名】００１２
【補正方法】変更
【補正の内容】
【００１２】
本発明の画像処理装置の一つは、被検眼の眼底の３次元断層画像を解析することにより、前記眼底の形状に係る形状情報を取得する解析手段と、前記形状情報を用いて、前記３次元断層画像との位置関係が対応付いている前記眼底の血管画像に含まれる血管を評価する評価手段と、前記評価手段による血管の評価結果を示す情報を表示部に表示する制御を行う表示制御手段とを有する。
本発明の画像処理装置における他の態様の一つは、被検眼の眼底の３次元断層画像を解析することにより、前記眼底の形状に係る形状情報を取得する解析手段と、前記形状情報を用いて、前記３次元断層画像との位置関係が対応付いている前記眼底の血管画像に含まれる血管を評価する評価手段とを有する。
また、本発明は、上述した画像処理装置による画像処理方法、及び、当該画像処理方法をコンピュータに実行させるためのプログラムを含む。